(57)【要約】【課題】高速で走行するウェブ上の大部分の位置の色彩情報を効率よく迅速に収集する手段を提供することである。【解決手段】光を収集してビーム状に絞る光ガイド手段２、該ビーム状に絞られた入射光１を分光する分光手段３、該分光した光を検出する光検知手段４及び該光ガイド手段２の担持手段５からなり、該担持手段５が回転し、該光ガイド手段２による光収集方向を、該回転の軸６を中心に回転させる色彩情報を高速に収集する装置。【選択図】　図３
2004093325.tif 000002
【特許請求の範囲】
【請求項１】
光を収集してビーム状に絞る光ガイド手段２、該ビーム状に絞られた入射光１を分光する分光手段３、該分光した光を検出する光検知手段４及び該光ガイド手段２の担持手段５からなり、該担持手段５が回転し、該光ガイド手段２による光収集方向を、該回転の軸６を中心に回転させる色彩情報を高速に収集する装置。
【請求項２】
該分光手段３が回折格子３ａである請求項１記載の色彩情報を高速に収集する装置。
【請求項３】
該分光手段３がプリズム３ｂである請求項１記載の色彩情報を高速に収集する装置。
【請求項４】
該プリズム３ｂが円柱状であり、該円柱の中心軸と該担持手段５の回転軸６が一致している請求項３記載の色彩情報を高速に収集する装置。
【請求項５】
該分光手段３が該担持手段５と一体となって回転する請求項１、２、３又は４記載の色彩情報を高速に収集する装置。
【請求項６】
該入射光１が該プリズム３ｂに垂直以外の角度で入射する請求項３、４又は５記載の色彩情報を高速に収集する装置。
【請求項７】
該プリズム３ｂが円柱状プリズム又は正多（偶数）角柱プリズムであり、該プリズム３ｂに入射する該入射光１の光軸と該柱状プリズム３ｂの側面で屈折した屈折光８の光軸を含む平面が該プリズム３ｂの側面と直交している請求項３、４、５又は６記載の色彩情報を高速に収集する装置。
【請求項８】
該入射光１の光軸と該柱状プリズム３ｂの側面で屈折した屈折光８の光軸を含む平面が更に該回転軸６を含んでいる請求項７記載の色彩情報を高速に収集する装置。
【請求項９】
該入射光１が該柱状プリズム３ｂの表面で屈折し、別の表面に達して該プリズム３ｂ表面に固定された光検知手段４で読みとられる請求項３、４、５、６、７又は８記載の色彩情報を高速に収集する装置。
【請求項１０】
該入射光１が該柱状プリズム３ｂの表面で屈折し、入射した位置とは反対側の側面から脱出し、柱状プリズム３ｂの外周近傍に有り、該回転軸６を中心とする円周上に並べられ、該円周上の各位置が該装置の走査幅方向の各位置に１対１で対応する光検知素子からなる光検知手段４で読みとられる請求項３、４、５、６、７又は８記載の色彩情報を高速に収集する装置。
【請求項１１】
該回転する担持手段５及び担持手段５に取り付けられ一緒に回転する部分全体を、該回転軸６に直交する面で任意の厚みに分割した各断片毎の重心が夫々該回転軸６に一致する請求項１、２、３、４、５、６、７、８、９又は１０記載の色彩情報を高速に収集する装置。
【発明の詳細な説明】
【０００１】
【発明の属する技術分野】
本発明は走行するウェブ等の表面の色彩情報を高速に収集する装置に関する。
【０００２】
【従来の技術】
従来、紙等のウェブの製造に際しては、例えばベータ線坪量計等のようなセンサ−を走行するウェブの幅方向に走査し、得られた結果を制御手段にフィ−ドバックするという事は古くから行われていた。白色度のようなウェブの色彩情報もフレームに取り付けられ、ウェブの巾方向を往復する移動体に白色度計または色彩計を組み込み測定されていた。
【０００３】
しかしながら、近年向上し続ける製造速度に比較してセンサ−の走査速度は遅く（ある程度以上の大きさになってしまう測色装置を水平方向に往復運動させるため高速には出来ない）、同じ幅方向の位置のデ−タが流れ方向で数百ｍ以上離れてしまい、色彩をリアルタイムで制御するための前提条件すら整っていなかった。
【０００４】
得られる情報の発信場所は幅広いウェブ上の、流れ方向に引き延ばされた幅の狭いサインカーブ型の帯状の部分だけであり、他の大部分の場所の情報は実際には未知のままであった。
【０００５】
【発明が解決しようとする課題】
従って、本発明の課題は、高速で走行するウェブ上の大部分の位置の色彩情報を効率よく収集する手段を提供することである。
【０００６】
【課題を解決するための手段】
本発明の課題は、光を収集してビーム状に絞る光ガイド手段２、該ビーム状に絞られた入射光１を分光する分光手段３、該分光した光を検出する光検知手段４及び該光ガイド手段２の担持手段５からなり、該担持手段６が回転し、該光ガイド手段２による光収集方向を、該回転の軸６を中心に回転させる色彩情報を高速に収集する装置によって達成される。
【０００７】
本発明の課題は、上記色彩情報を高速に収集する装置に於いて、該分光手段３が回折格子３ａである色彩情報を高速に収集する装置によって達成される。
【０００８】
本発明の課題は、上記色彩情報を高速に収集する装置に於いて、該分光手段３がプリズム３ｂである色彩情報を高速に収集する装置によって達成される。
【０００９】
本発明の課題は、上記色彩情報を高速に収集する装置に於いて、該プリズム３ｂが円柱状であり、該円柱の中心軸と該担持手段５の回転軸６が一致している色彩情報を高速に収集する装置によって達成される。
【００１０】
本発明の課題は、上記色彩情報を高速に収集する装置に於いて、該分光手段３が該担持手段５と一体となって回転する色彩情報を高速に収集する装置によって達成される。
【００１１】
本発明の課題は、上記色彩情報を高速に収集する装置に於いて、該入射光１が該プリズム３ｂに垂直以外の角度で入射する色彩情報を高速に収集する装置によって達成される。
【００１２】
本発明の課題は、上記色彩情報を高速に収集する装置に於いて、該プリズム３ｂが円柱状プリズム又は正多（偶数）角柱プリズムであり、該プリズム３ｂに入射する該入射光１の光軸と該柱状プリズム３ｂの側面で屈折した屈折光８の光軸を含む平面が該プリズム３ｂの側面と直交している色彩情報を高速に収集する装置によって達成される。
【００１３】
本発明の課題は、上記色彩情報を高速に収集する装置に於いて、該入射光１の光軸と該柱状プリズム３ｂの側面で屈折した屈折光８の光軸を含む平面が更に該回転軸７を含んでいる色彩情報を高速に収集する装置によって達成される。
【００１４】
本発明の課題は、上記色彩情報を高速に収集する装置に於いて、該入射光１が該柱状プリズム３ｂの表面で屈折し、別の表面に達して該プリズム３ｂ表面に固定された光検知手段４で読みとられる色彩情報を高速に収集する装置によって達成される。
【００１５】
本発明の課題は、上記色彩情報を高速に収集する装置に於いて、該入射光１が該柱状プリズム３ｂの表面で屈折し、入射した位置とは反対側の側面から脱出し柱状プリズム３ｂの外周近傍に有り、該回転軸６を中心とする円周上に並べられ、該円周上の各位置が該装置の走査幅方向の各位置に１対１で対応する光検知素子からなる光検知手段４で読みとられる色彩情報を高速に収集する装置によって達成される。
【００１６】
本発明の課題は、上記色彩情報を高速に収集する装置に於いて、該回転する担持手段５及び担持手段５に取り付けられ一緒に回転する部分全体を、該回転軸６に直交する面で任意の厚みに分割した各断片毎の重心が夫々該回転軸６に一致する色彩情報を高速に収集する装置によって達成される。
【００１７】
【発明の実施の形態】
本発明は、必然的に運動量の変化を伴うため振動が発生しやすく測定の高速化に向かない往復運動を廃し、測定装置全体は一箇所に固定し、光を収集してビーム状に絞る光ガイド手段２を高速に回転させることで光ガイド手段２の視野を高速に移動させて広範囲の領域の色彩情報を高速に取り込む事に基礎を置き、光をビーム状に絞る光ガイド手段２、分光手段３、光検知手段４及びその担持手段５を主要構成要素とする。
【００１８】
担持手段５はそれ自体と担持する対象；光ガイド手段２、光ガイド手段２と分光手段３、光ガイド手段２と光検知手段４或いは光ガイド手段２、分光手段３及び光検知手段４の何れの組み合わせに於いても、全体を回転軸６に垂直な面で任意の厚みに分割した全ての断片の重心が回転軸６上に有る事が望ましい。そうでないと振動が発生し、高速回転の安定性が保てないか、保守に手間がかかる。
【００１９】
実現方法としてはそれ自体の回転対称性を良くする事に加えて、担持する対象と軸対称の位置にバランサーとしてのウェートを取り付ける、或いは複数の担持対象を回転対称の位置に取り付ける等の方法が有る。
【００２０】
本発明の実施に於いて光を収集してビーム状に絞る光ガイド手段２の概念としては、直線上に並べた複数の遮光板に開けたピンホール、内部反射率を低く押さえたパイプ等が考えられるが、実用的にはレンズ系が挙げられる。
【００２１】
焦点距離の等しい凸レンズと凹をレンズ（夫々単玉レンズでも良いが一般的には組み合わせレンズ）の組み合わせで比較的大光量のビ−ムを得る事が出来る。
目的が色彩情報を得る事であるから、要求する分解能に応じてビームは細く、光軸の角度誤差は小さく、レンズ系全体の色収差は小さくしなければならない。
そうしなければ少しずつずれたスペクトル像が重畳し、夫々の検知素子に於ける色純度が下がってしまう。光軸の角度誤差の対策としてレンズ前方にフードを設けたり、レンズに絞りを付ける等、一般に光学レンズで採用されている方法がそのまま使用出来る。
【００２２】
分光手段３としては回折格子３ａとプリズム３ｂが挙げられるが、回折格子３ａには反射型と透過型が有り、反射型は鏡面に等間隔で平行線状筋を付け周期的に反射と否反射を繰り返す構造のもの、透過型は透明板上に線を引くか空間にワイヤーを張るかの方法で等間隔で平行な遮光パタ−ンを作り、透過と否透過を周期的に繰り返す構造のものである。何れの場合も波長毎に違った角度で回折されるので距離が離れるほど全体が広がってしまい大型の検知手段が必要になる。逆にコンパクトな検知手段を用いる場合は立体配置に充分な考慮が必要である。
【００２３】
一方、プリズム３ｂの場合は入射面で違った角度で屈折するのは同様であるが、入射面と平行な面から脱出させれば分光した平行光線が得られるので上記の問題は回避出来る。その代わりプリズム３ｂの場合はその表面に垂直に光が入射した場合には、幾何光学的屈折は起きない（光の速度が変わるという意味では屈折するが）ので入射角度については考慮しなければならない。
【００２４】
プリズム３ｂの形状によってはプリズム３ｂ内部から側面に光が達した時に全反射して脱出出来ない危険性が有る。従って円柱プリズム３ｂや偶数の側面を持つ正多角柱プリズム３ｂのように回転対称性が良く、入射面に対し平行な脱出面が保証されるプリズム３ｂが有利である。
【００２５】
その場合、入射光１の光軸と屈折光８の個軸を含む面がプリズム３ｂ側面と直交していれば、屈折光８が側面から脱出する場合は平行面から脱出出来るが、そうでないと別の面に屈折光軸８が向かい全反射して脱出出来ない危険性が有る。
【００２６】
また、入射光１の光軸と屈折光８の光軸を含む面が回転軸６をも含んでいると屈折光８が側面から脱出する場合は必ず回転軸対称の位置から脱出するので光検出手段４の設置位置決定が簡便であるし、その後の保守も複雑な位置合わせが無く便利である。
【００２７】
光検出手段４は色彩測定という目的に沿って、可視光のほぼ全域に感度を持つという以外特に制限は無いが、高速に情報を収集するという観点から素子及び回路系全体として応答性が速い事が有利であり、いわゆる残像現象のような効果が大きいと速度で妥協するか、分光スペクトル帯を回転軸を中心に回転させ、多数並べられた光検出手段に次々と受光させるという方法を採らねばならない。
【００２８】
光検出手段４当たりの受光素子の数は最低３原色分必要であるが、より精密には可視光のスペクトル帯に１０〜１００程度の個数を並べ、分光スペクトルカ−ブが得られるようにしておくことが精度の観点からは有利である。
【００２９】
光検出手段４を構成するために１個１個の素子を並べても良いが、例えばラインＣＣＤ等をそのまま利用することも出来る。ＣＣＤの場合同一ウェハ上の直ぐ近傍の位置で同時に受光素子が形成されるため、素材の均質性、加工条件の均質性が共に高く、夫々の素子の品質が比較的良く揃っていることが期待出来る。
【００３０】
夫々の要素の組み合わせ方は各種有るが、第一の組み合わせは回転する担持手段５に光ガイド手段２のみを取り付ける方法である。この場合可能な分光手段３は中心軸が回転軸６と一致する円柱プリズム３ｂと透過型回折格子３ａである。回折格子３ａは格子の向きが回転軸６と直交していれば平面でも円筒型でも良い。いずれの場合も分光成分を回転軸６に平行に並べた光検知素子で検出出来る。光検知手段４はその光検知素子列を回転軸６に平行に円筒状に複数組並べて光検知マトリックスを形成するか、円筒状にマトリックス状に取り付けたガラスファイバー１０により光検知素子が平面マトリックス状に並んだ検出手段４に導いても良い。
【００３１】
第二の組み合わせ方は回転する担持手段５に光ガイド手段２と光検知手段４を取り付ける方法である。この場合可能な分光手段３は第一の場合と同様である。光検知手段４は光ガイド手段２と回転軸対称の方向に取り付けるか担持手段５の回転軸６と交わる面に取り付けても良い。
【００３２】
第三の組み合わせ方は回転する担持手段５に光ガイド手段２と分光手段３を取り付ける方法である。この場合分光手段３は入射光１と分光された光軸８が作る平面が回転軸６と平行になるように調整されていれば、更に回転軸６を含んでいれば光検知手段４の位置決めの点で有利である。光検知手段４は第一の場合と同様である。
【００３３】
第四の組み合わせ方は回転する担持手段５に光ガイド手段２、分光手段３及び光検知手段４全部を取り付ける方法である。この場合、分光手段３の選択及び光検知手段４の取り付け位置については、第三までの場合よりも自由度が高い。
【００３４】
光ガイド手段２の担持手段５への取り付け角度は自由であるが、入射光軸１が回転軸６に直交するように取り付け、測定対象面と回転軸を平行にすると測定対象面を直線走査出来る。光軸１を分光手段に最適角度で入射するよう光ガイド手段２と分光手段３の間に反射鏡９を介在させても良い。また、分光手段３と光検知手段４の間に反射鏡９を介在させることで全体外形をコンパクトに設計することも出来る。
【００３５】
【実施例】
本発明を更に詳しく説明するため図を用いて説明する。
図１に於いて、光ガイド手段２及び該光ガイド手段２から回転軸６に向かう入射光１の光軸上に、入射光１の入射角を変える反射鏡９を担持する担持手段５は、回転軸６を中心に矢印７の向きに回転している。頂面に反射鏡９を備えた円柱状プリズム３ｂはその中心軸を担持手段５の回転軸６と一致させ固定されている。光検知手段４は同じく回転軸６に一致する軸の円周上に配置されている。全体は遮光手段１２により遮光されている。
【００３６】
凸レンズと凹レンズからなる光ガイド手段２の前部に配置された該凸レンズにより集光された光は、該凸レンズの焦点上乃至そのやや内側に配置された同一焦点距離の該凹レンズにより平行光線に戻されビーム状の入射光１を形成する。円柱状プリズム３ｂの側面に垂直に入射する光１は反射鏡９により入射光１の光軸と回転軸６を含む平面内で角度を変えられプリズム３ｂ側面に入射する。側面で波長毎に異なる一定の角度で屈折し分光した屈折光８はプリズム３ｂ頂面の反射鏡９で反射され入射位置とは軸対称の方向でプリズム３ｂを脱出し平行光線となって円周上の光検知手段４で検知される。
【００３７】
図１上図に於いて、担持手段５の回転に伴い図の左上から左下へ光ガイド手段２が向きを変えると光検知手段４の右下から右上へと信号出力位置が変化する。
【００３８】
図２に於いて、光ガイド手段２及び該光ガイド手段２から回転軸６に向かう入射光１の光軸上に、入射光１の入射角を変える反射鏡９を２組を、回転軸対称の位置に担持する担持手段５は、回転軸６を中心に矢印７の向きに回転している。回転軸６と直交する格子を持つ透過型回折格子３ａは担持手段５の回転軸６の位置に固定されている。光検知手段４は同じく回転軸６に一致する軸の円周上に配置されている。全体は遮光手段１２により遮光されている。
【００３９】
二つの内、測定対象の方向を向いた光ガイド手段２から、回転軸６に直角に入射する光１は反射鏡９により光軸１と回転軸６を含む平面内で角度を変えられ回折格子３ａに入射する。担持手段５の回転により入射光１の方向が変わっても、格子が回転軸６に直交しているので格子間隔が変わらず、軸対称の方向に波長毎に異なる一定の角度で回折光８として回折し、円周上の光検知手段４で検知される。
【００４０】
図３に於いて、光ガイド手段２及び該光ガイド手段２から回転軸６に向かう入射光１の光軸上に、入射光１の入射角を変える反射鏡９及び光ガイド手段２と回転軸対称の方向に光検知手段４を夫々３組回転対称の位置に担持する担持手段５は、回転軸６を中心に矢印７の向きに回転している。頂面に反射鏡９を備えた円柱状プリズム３ｂはその中心軸を担持手段５の回転軸６と一致させ固定されている。全体は遮光手段１２により遮光されている。
【００４１】
三つの内、測定対象の方向を向いた光ガイド手段２から、円柱状プリズム３ｂの側面に垂直に入射する光１は反射鏡９により光軸１と回転軸６を含む平面内で角度を変えられプリズム３ｂ側面に入射する。側面で波長毎に異なる一定の角度で屈折した屈折光８はプリズム３ｂ頂面の反射鏡９で反射され入射位置とは軸対称の方向でプリズム３ｂを脱出し平行光線となって担持手段５に固定された、入射した光ガイド手段２と回転軸６と対称方向の光検知手段４で検知される。
【００４２】
図４に於いて、光ガイド手段２と光検知手段４を担持する担持手段５は、回転軸６を中心に回転している。格子が回転軸６を中心とする同心円からなる反射型回折格子３ａは担持手段５の頂面に沿って固定されている。全体は遮光手段１２により遮光されている。
【００４３】
担持手段５の回転により入射光１の方向が変わっても、同心円である格子の中心が回転軸６に一致するので格子間隔が変わらず、軸の方向に波長毎に異なる一定の角度で回折光８として回折し、光ガイド手段２と固定された位置関係に有る光検知手段４で検知される。
【００４４】
図５に於いて、回転対称の位置に配置された３組の光ガイド手段２と円柱状プリズム３ｂを担持する担持手段５は、回転軸６を中心に矢印７の向きに回転している。回転軸６に平行な受光面１１上の複数の回転軸６の平行線と複数の回転軸６に垂直な円弧の交点の夫々に光ファイバー１０の一端を固定し、他の一端をＣＣＤである光検知手段４の夫々の光検知素子の直近に固定している。全体は遮光手段１２により遮光されている。
【００４５】
測定対象の方向を向いた光ガイド手段２から入射し、プリズム３ｂ側面で波長毎に異なる一定の角度で屈折した屈折光８は入射位置とは軸対称の方向でプリズム３ｂから脱出し平行光線となり、その内の特定の部分が光ファイバー１０に入射し、光検知手段４の定められた素子に導かれ検知される。
【００４６】
図６に於いて、光ガイド手段２及び該光ガイド手段２から回転軸６に向かう入射光１の光軸上に、入射光１の入射角を変える反射鏡９及びその中心軸を担持手段５の回転軸６と一致させた頂面に反射鏡９を備えた円柱状プリズム３ｂを担持する担持手段５は、回転軸６を中心に矢印７の向きに回転している。光検知手段４は同じく回転軸６を中心とした円周上に配置されている。全体は遮光手段１２により遮光されている。
【００４７】
光ガイド手段から円柱状プリズム３ｂの側面に対し垂直の方向に入射した入射光１は反射鏡９により光軸１と回転軸６を含む平面内で角度を変えられプリズム３ｂ側面に入射する。側面で波長毎に異なる一定の角度で屈折した光８はプリズム３ｂ頂面の反射鏡９で反射され入射位置とは軸対称の方向でプリズム３ｂを脱出し平行光線となって円周上の光検知手段４で検知される。
【００４８】
図７に於いて、光ガイド手段２、反射型回折格子３ａ及び光検知手段４は相互の位置関係を固定して担持手段５に担持され、回転軸６を中心に矢印７の向きに回転している。全体は遮光手段１２により遮光されている。
【００４９】
一定角度で入射した入射光１は波長毎に異なる角度で回折光８として回折し、固定された位置関係に有る光検知手段４で検知される。
【００５０】
図８に於いて、その中心軸を担持手段５の回転軸６と一致させた円柱状プリズム３ｂを担持する担持手段５は、回転軸６を中心に矢印７の向きに回転している。光ガイド手段２はプリズム３ｂ側面に一定の角度をもって、光検知手段４はプリズム３ｂ頂面の屈折光８が到達する位置に配置されて夫々担持手段５に担持されている。全体は遮光手段１２により遮光されている。
【００５１】
図では光ガイド手段２は回転軸６の方向を向いているが、光ガイド手段２、円柱状プリズム３ｂ及び光検知手段４の位置関係が固定されているので光ガイド手段２の取り付け方向は必ずしも回転軸６の向きでなくとも良い。側面に対する角度は、屈折光８が頂面で全反射しない角度を選ばねばならない。
【００５２】
図９に於いて、その中心軸を担持手段５の回転軸６と一致させた頂面に反射鏡９を備えた円柱状プリズム３ｂを担持する担持手段５は、回転軸６を中心に矢印７の向きに回転している。光ガイド手段２はプリズム側面に一定の角度をもって、光検知手段４はプリズム３ｂ側面の光ガイド手段２とは軸対称の方向に配置された状態を１組として、それらを回転対称となるよう３組夫々担持手段５に担持されている。全体は遮光手段１２により遮光されている。
【００５３】
一定角度で入射した入射光１はプリズム側面で波長毎に異なる角度で屈折光８として屈折し、固定された位置関係に有る光検知手段４で検知される。
【００５４】
図１０は走行するウェブ１４の色彩情報を本発明の装置１３で収集する模式図である。装置１３内の担持手段の回転軸６のウェブに落とす写像とウェブの走行方向１５を平行にする使い方が標準である。光ガイド手段２が回転軸６に直角に取り付けられていれば、ウェブ１４の幅方向に直線的に走査し、その他の場合は曲線を描いて走査することになる。
【００５５】
【発明の効果】
本発明の装置は並進運動が全く無い、回転運動のみで広範囲の色彩情報を収集可能となるように設計されているので、測定の高速化、高密度化が可能である。
【００５６】
回転部分が回転対称に設計された場合は振動が少なく、一層の高速化が可能である。さらに光ガイド手段２を複数持てば切れ目の無い情報収集が可能となる。
【００５７】
円周上に光検知素子が配置され、順に分光された光を受光する場合は円周上の素子の密度により、幅方向の測定密度が決定されるが、光ガイド手段２と対になった１組の光検知素子列で連続的に受光する場合は、担持手段５の回転速度、電気的読みとり速度と素子の応答速度で幅方向の測定密度が決定されるので原理的にはより高密度の測定が可能である。
以上述べたように本発明の装置を用いれば、現状の方法と比較すると飛躍的に高密度の色彩情報の収集が可能となる。
【図面の簡単な説明】
各図に於いて、上図は回転軸６に垂直な断面図、下図は回転軸６を含む断面図を表している。
【図１】光ガイド手段２が回転する担持手段５に担持され、頂面に反射鏡９を備えた円柱状プリズム３ｂと光検知手段４は固定されている状態を示すである。
【図２】光ガイド手段２が回転する担持手段５に担持され、回転軸６に直交する格子を持つ透過型回折格子３ａと光検知手段４は固定されている状態を示すである。
【図３】光ガイド手段２と光検知手段４が回転する担持手段５に担持され、頂面に反射鏡９を備えた円柱状プリズム３ｂは固定されている状態を示すである。
【図４】光ガイド手段２と光検知手段４が回転する担持手段５に担持され、回転する担持手段５の頂面に沿って設置されている同心円状格子を持つ反射型回折格子３ａは固定されている状態を示すである。
【図５】光ガイド手段２と円柱状プリズム３ｂが回転する担持手段５に担持され、光検知手段４は外部に固定されている状態を示すである。
【図６】光ガイド手段２と頂面に反射鏡９を備えた円柱状プリズム３ｂが回転する担持手段５に担持され、光検知手段４は外部に固定されている状態を示すである。
【図７】光ガイド手段２、反射型回折格子３ａと光検知手段４が回転する担持手段５に担持されている状態を示すである。
【図８】光ガイド手段２、円柱状プリズム３ｂが回転する担持手段５に担持され、光検知手段４は該円柱状プリズム３ｂの頂面に固定されている状態を示すである。
【図９】光ガイド手段２、頂面に反射鏡９を備えた円柱状プリズム３ｂが回転する担持手段５に担持され、光検知手段４は該円柱状プリズム３ｂの側面に固定されている状態を示すである。
【図１０】本発明の色彩情報を高速に収集する装置と走行するウェブの位置関係を示すである。
【符号の説明】
１　入射光
２　光ガイド手段
３　分光手段
３ａ　回折格子
３ｂ　プリズム
４　光検知手段
５　担持手段
６　担持手段の回転軸
７　担持手段の回転方向
８　屈折光又は回折光
９　反射鏡
１０　光ファイバー
１１　受光面
１２　遮光手段
１３　本発明の色彩情報を高速に収集する装置
１４　走行するウェブ
１５　ウェブの走行方向
【図１】
2004093325.tif 000003
【図２】
2004093325.tif 000004
【図３】
2004093325.tif 000005
【図４】
2004093325.tif 000006
【図５】
2004093325.tif 000007
【図６】
2004093325.tif 000008
【図７】
2004093325.tif 000009
【図８】
2004093325.tif 000010
【図９】
2004093325.tif 000011
【図１０】
2004093325.tif 000012